(57)【特許請求の範囲】
【請求項１】
個人情報配信サーバと、情報提供者端末と、被情報提供者端末とがネットワークを介して接続された個人情報提供システムであって、
前記個人情報配信サーバは、
前記情報提供者端末から登録された個人情報データの被情報提供者端末での利用可能レベルを設定する手段と、
前記個人情報データと、当該データを特定可能なＩＤと、前記利用可能レベルとチケットとの対応関係を記したテーブルとを含むカプセルデータを作成する手段と、
当該カプセルデータを前記被情報提供者端末へ送信する手段と、
前記被情報提供者端末から入力されたチケット送信要求に基づき前記カプセルデータを利用するための任意の利用可能レベル用のチケットを作成する手段と、を有し、
前記被情報提供者端末は、
前記カプセルデータに含まれるＩＤを含むチケット送信要求を作成する手段と、
当該要求を前記個人情報配信サーバへ送信する手段と、
前記テーブルと前記個人情報配信サーバから入力されたチケットとを比較し、前記個人情報データを利用可能なレベルを判断する手段と、
この判断結果に基づき、自端末で利用可能な範囲で前記個人情報データを被情報提供者に利用させる手段と、を有することを特徴とする個人情報提供システム。
【請求項２】
前記個人情報データは、前記被情報提供者端末でデータコピーができないように設定されていることを特徴とする請求項１項に記載の個人情報提供システム。
【請求項３】
前記個人情報データは、前記被情報提供者端末の管理下に画像形成できないように設定されていることを特徴とする請求項１または２項に記載の個人情報提供システム。
【請求項４】
前記チケットは、前記個人情報データが予め設定された回数利用された場合、使用不能と設定されることを特徴とする請求項１から３のいずれか１項に記載の個人情報提供システム。
【請求項５】
前記チケットは、予め設定された期間経過後には使用不能と設定されることを特徴とする請求項１から４のいずれか１項に記載の個人情報提供システム。
【請求項６】
前記個人情報配信サーバは、さらに、作成したチケットに応じて、被情報提供者への課金処理を行うことを特徴とする請求項１から５のいずれか１項に記載の個人情報提供システム。
【請求項７】
情報提供者端末と被情報提供者端末とネットワークを介して接続する個人情報配信サーバを、
前記情報提供者端末から登録された個人情報データの被情報提供者端末での利用可能レベルを設定する手段、
前記個人情報データと、当該データを特定可能なＩＤと、前記利用可能レベルとチケットとの対応関係が記したテーブルとを含むカプセルデータを作成する手段、
当該カプセルデータを前記被情報提供者端末へ送信する手段、
前記被情報提供者端末から入力されたチケット送信要求に基づき前記カプセルデータを利用するための任意の利用可能レベル用のチケットを作成する手段、
として機能させるための個人情報提供プログラム。
【請求項８】
前記個人情報提供プログラムは、さらに、
前記個人情報配信サーバに、作成したチケットに応じて被情報提供者に対して課金処理を行う手段として機能させることを特徴とする請求項７に記載の個人情報提供プログラム。
【請求項９】
個人情報配信サーバと情報提供者端末とネットワークを介して接続する被情報提供者端末を、
前記個人情報配信サーバから受信したカプセルデータに含まれるＩＤを含むチケット送信要求を作成する手段、
当該要求を前記個人情報配信サーバへ送信する手段、
前記カプセルデータに含まれる自端末に格納されたチケットごとに個人情報データを利用可能な範囲が規定されたテーブルと、前記個人情報配信サーバから入力されたチケットとを比較し、前記個人情報データを利用可能なレベルを判断する手段、
この判断結果に基づき、自端末で利用可能な範囲で前記個人情報データを被情報提供者に利用させる手段、
として機能させるための個人情報提供プログラム。
【請求項１０】
前記個人情報提供プログラムは、さらに、
前記被情報提供者端末を、前記個人情報データのデータコピー防止手段として機能させることを特徴とする請求項９に記載の個人情報提供プログラム。
【請求項１１】
前記個人情報提供プログラムは、さらに、
前記被情報提供者端末を、前記個人情報データの画像形成防止手段として機能させることを特徴とする請求項９または１０に記載の個人情報提供プログラム。
【請求項１２】
前記個人情報提供プログラムは、さらに、
前記被情報提供者端末を、前記個人情報データが予め設定された回数利用された場合、前記チケットを使用不能と設定する手段として機能させることを特徴とする請求項９から１１のいずれか１項に記載の個人情報提供プログラム。
【請求項１３】
前記個人情報提供プログラムは、さらに、
前記被情報提供者端末を、予め設定された期間経過後に前記チケットを使用不当と設定する手段として機能させることを特徴とする請求項９から１２のいずれか１項に記載の個人情報提供プログラム。
【請求項１４】
情報提供者端末から登録された個人情報データの被情報提供者端末での利用可能レベルを設定するステップと、
前記個人情報データと、当該データを特定するためのＩＤと、前記利用可能レベルとチケットとの対応関係を記したテーブルとを含むカプセルデータを作成するステップと、
前記カプセルデータを前記被情報提供端末へ送信するステップと、
被情報提供者端末からチケット作成要求を受信した場合に、当該要求で指定された個人情報データ用の任意の利用可能レベルのチケットを作成するステップと、
前記チケットを前記被情報提供端末へ送信するステップと、を有することを特徴とする個人情報提供方法。
【請求項１５】
前記個人情報データは、前記被情報提供者端末でデータコピーができないように設定されていることを特徴とする請求項１４項に記載の個人情報提供方法。
【請求項１６】
前記個人情報データは、前記被情報提供者端末の管理下に画像形成できないように設定されていることを特徴とする請求項１４または１５項に記載の個人情報提供方法。
【請求項１７】
前記チケットは、前記個人情報データが予め設定された回数利用された場合、使用不能と設定されることを特徴とする請求項１４から１６のいずれか１項に記載の個人情報提供方法。
【請求項１８】
前記チケットは、予め設定された期間経過後には使用不能と設定されることを特徴とする請求項１４から１７のいずれか１項に記載の個人情報提供方法。
【請求項１９】
作成したチケットに応じて被情報提供者への課金処理を行うステップをさらに有することを特徴とする請求項１４から１８のいずれか１項に記載の個人情報提供方法。
【発明の詳細な説明】
【０００１】
【発明の属する技術分野】
本発明はインターネット等のネットワークを介して情報提供者の個人情報を被情報提供者に利用させる個人情報提供システム、個人情報提供方法、および個人情報提供プログラムに関し、特に、上記情報を段階的に開示可能とすると共に情報の漏洩の防止可能な個人情報提供システム、個人情報提供方法、および個人情報提供プログラムに関する。
【０００２】
【従来の技術】
個人情報は、利用価値が高いため、極めて厳重に管理しなければならない。従って、情報提供者の個人情報を利用を認められた者（被情報提供者）は、当該情報を漏洩したり悪用しないことが求められる。別言すれば、情報提供者は、多くの場合、当該被提供者が情報を悪用しない、または悪用できないという保証がない限り、個人情報を開示しないようにすることが望まれる。
【０００３】
従来、情報提供者から登録された個人情報を第三者に提供するシステムとして、人材紹介システムや結婚情報交換システムなどが知られている。これらのシステムでは、上述したような取り扱いに極めて重大な注意を要する個人情報を第三者（被情報提供者）に提示するため、情報の厳重な管理が求められている。以下、従来の結婚情報交換システムの一例を説明する。ここでは、情報提供者をある女性とし、当該情報提供者の個人情報（結婚情報）データを男性である被情報提供者に提示する場合を例に取る。
【０００４】
この結婚情報交換システムでは、情報提供者（女性）から登録された個人情報データを、異性（男性）である被情報提供者に提供する。この個人情報データは、例えば、電子メールや郵便などで被情報提供者の端末、または被情報提供者本人に提供される。
そして、被情報提供者に、この情報を参照してもらい、上記情報提供者とコンタクトを取るか判断させる。そして、コンタクトを取る場合には、当該個人情報データに含まれる情報提供者の連絡先を参照する。このように、個人情報データには、被情報提供者が情報提供者とコンタクトを取るためにも用いられるため、当該情報提供者の住所等を特定可能なレベルの情報も含まれる。
【０００５】
なお、このシステムでは、当該情報を所定の者のみに開示するために、公知の暗号技術を好適に用いる。すなわち、上記個人情報データは、所定の復号鍵を有する被情報提供者以外に閲覧されることがなくなる。
また、次のような第２の結婚情報交換システムも知られている。
【０００６】
第２の結婚情報交換システムは、情報提供者から登録された個人情報を異性である被情報提供者に提供し、被情報提供者に上記情報提供者とコンタクトを取るか判断する点については上記第１のシステムと同様である。
【０００７】
しかし、このシステムは、個人情報の漏洩などを防止するために、情報に含まれる項目毎にレベル分けし、段階に応じて被情報提供者に開示する情報を制限している。
例えば、一番初めに被情報提供者へ開示される情報では、情報提供者が作成した自己紹介データ（ＰＲデータ）などの当該情報提供者を特定不能なデータのみとする。すなわち、このシステムでは、この段階では情報提供者が特定されてしまうような連絡先などのデータは開示しない。
【０００８】
上記システムは、被情報提供者が上記情報提供者のさらに詳しい情報の提供を要求した場合には、さらに顔写真データなどを開示する。
なお、被情報提供者が真に情報提供者とコンタクトを望んでいることを判断するために、上記情報提供者の連絡先などの取り扱いに極めて注意を要する情報は、特定の場所のみで開示できるようにする。例えば、情報を開示可能な端末を設け、当該端末のみでこの情報を開示するようにする。また、端末を使用させるにあたり、ユーザ認証を行ってもよい。情報開示に際して煩雑な作業を被情報提供者に強いることで、悪意の被情報提供者を排除することが可能となる。
【０００９】
被情報提供者は、開示されたこれらの情報に基づき、当該情報提供者と直接のコンタクトを取りたいか検討する。そして、コンタクトを取りたい場合には、結婚情報交換システムは、この旨と被情報提供者の個人情報（結婚情報）データを情報提供者に伝える。
【００１０】
情報提供者は、この被情報提供者とコンタクトを取りたい場合には、システムから開示された被情報提供者の個人情報に基づき、当該被情報提供者とコンタクトを取る。
その後、被情報提供者は、情報提供者から直接にまたは当該システムを介して間接に情報提供者の開示されていない個人情報、すなわち情報提供者の連絡先などの情報が提供される。
なお、これらの情報の授受のすべて、または一部に、公知の暗号技術を採用してもよい。これにより、このシステムで個人情報が漏洩したり悪用される可能性をより低くすることができる。
【００１１】
このように、このシステムでは、個人情報の内容に開示レベルを設け、被情報提供者が情報提供者と善意のコンタクトを取るために個人情報の開示を求めていることが明らかになるごとに開示する情報量を多くしている。別言すれば、上記システムは、被情報提供者が善意の者であることの確からしさを確認するまでは情報提供者を特定可能な情報を開示することはなく、コンタクトを取るか否かの検討材料となる情報のみを開示する。従って、悪意の被情報提供者に情報提供者の個人情報が漏洩してしまうことが防止される。
【００１２】
【発明が解決しようとする課題】
しかしながら、上記従来技術によれば、次のような問題点があった。
【００１３】
第１の問題点は、個人情報の内容をレベル分けした複数のデータを作成しなければならない点にある。従って、従来技術によるシステムでは、情報提供者にレベル分けされた複数のデータを作成させ、これを登録したり、一つの個人情報を作成させ、これをレベル分けして作成したデータを登録したりしなければならなかった。このように、データの作成・登録作業が極めて複雑で、極めて多大なコスト＼データ記憶容量＼労力を要していた。また、各データを所定のタイミングで送らなければならないために、個人情報データを一度に、または一つの個人情報データを送信する場合に比べて、作業工程は極めて多くなり、システムの効率も極めて悪いものとなっていた。
【００１４】
第２の問題点は、暗号技術を用いても、被情報提供者による情報提供者の個人情報の悪用や漏洩が容易なことにある。その理由は、暗号技術は、ユーザ固有の情報と何ら関係を持たないか関係があるとしても容易に偽造可能な形式の情報であり、何らかの不正操作により第三者に復号鍵が配布された際に、その復号鍵が不正な方法で入手されたことを確かめる手段がないためである。また、被情報提供者が上記データをコピーしたりプリントアウトすることで、複製物が容易に作成可能なためである。
【００１５】
第３の問題点は、不正を働こうとする者がいた場合、同一の情報提供者の個人情報の利用回数を確実に制限することが困難なことにある。その理由は、同一個人情報の利用に際して、復号鍵の要求は、その利用回数に係わらず、常に一定であるか、あるいは容易に偽造可能なためである。
【００１６】
例えば、上述したような結婚情報サービスシステムは、このような問題点を回避するために、被情報提供者に対して情報提供者の個人情報（結婚情報）の印刷物を郵送していた。また、情報提供者の顔写真や連絡先などは、複写などによる漏洩を防止するため、特定の店舗のみで閲覧させていた。すなわち、被情報提供者は、紙ベースでは情報提供者の自己アピール文などしか提供されず、より詳しい個人情報、換言すれば、極めて慎重に保護する必要がある連絡先などの個人情報を閲覧（利用）するためには、特定の閲覧所へ出向かなければならなかった。しかし、この閲覧所を維持するためには労力・コストが必要とされるため、その設定数は限定される。従って、被情報提供者は、限定された場所の閲覧所へ出向く時間と労力が要求され、閲覧所から極めて遠い場所に住む者の中には、このシステムを利用することができない可能性があった。
【００１７】
これに対し、特開平１１−９６２２９号公報には、記録媒体に格納した情報をユーザに提供する情報提供方法において、前記記録媒体には、その記録媒体内に記録されている情報の提供を仲介する仲介業者の持つ仲介業者側装置の管理サーバに通信回線を介して接続するための情報が格納され、ユーザへの情報の提供は、前記記録媒体を読み出し表示するユーザ側装置と前記管理サーバとの接続の後、前記管理サーバが、前記記録媒体内の情報を読み出し表示可能とすることにより行う情報提供方法が開示されている。
しかし、この従来技術では、情報およびコンテンツは、「インターディスク」と呼ばれる記録媒体に予め登録される。従って、ユーザと仲介業者間とは、この記録媒体を郵送するか手渡ししなければならない。
また、情報提供者は、被情報提供者の許可を得た後にしか当該被情報提供者のプライバシーにかかわる情報を閲覧することができない。つまり、被情報提供者は、情報提供者のプライバシー情報の閲覧する場合、まず自己の自己紹介情報を情報提供者に閲覧させ、当該情報提供者からプライバシー情報の閲覧の許可を得なければならない。
また、この従来技術では、被情報提供者がプライバシー情報を入手した後の手当については何ら対応策を示していない。
従って、この従来技術は、上記問題点に対して十分な対応策を示しているとは言えない。
【００１８】
本発明は、上記問題点に鑑みなされたものであり、ネットワークを介して一回のみの個人情報データを送信するだけで、当該データの内容を段階的・選択的に利用させることが可能で、当該データの漏洩・悪用などを防止可能な個人情報提供システム、個人情報提供方法、および個人情報提供プログラムを提供することを目的とする。
【００１９】
【課題を解決するための手段】
かかる目的を達成するために、請求項１記載の個人情報提供システムの発明は、個人情報配信サーバと、情報提供者端末と、被情報提供者端末とがネットワークを介して接続された個人情報提供システムであって、個人情報配信サーバは、情報提供者端末から登録された個人情報データの被情報提供者端末での利用可能レベルを設定する手段と、個人情報データと、データを特定可能なＩＤと、利用可能レベルとチケットとの対応関係を記したテーブルとを含むカプセルデータを作成する手段と、カプセルデータを被情報提供者端末へ送信する手段と、被情報提供者端末から入力されたチケット送信要求に基づきカプセルデータを利用するための任意の利用可能レベル用のチケットを作成する手段と、を有し、被情報提供者端末は、カプセルデータに含まれるＩＤを含むチケット送信要求を作成する手段と、要求を個人情報配信サーバへ送信する手段と、テーブルと個人情報配信サーバから入力されたチケットとを比較し、個人情報データを利用可能なレベルを判断する手段と、判断結果に基づき、自端末で利用可能な範囲で個人情報データを被情報提供者に利用させる手段と、を有することを特徴とする。
【００２０】
請求項２記載の発明は、請求項１の個人情報提供システムにおいて、個人情報データは、被情報提供者端末でデータコピーができないように設定されていることを特徴とする。
【００２１】
請求項３記載の発明は、請求項１または２の個人情報提供システムにおいて、個人情報データは、被情報提供者端末の管理下に画像形成できないように設定されていることを特徴とする。
【００２２】
請求項４記載の発明は、請求項１から３のいずれか１の個人情報提供システムにおいて、チケットは、個人情報データが予め設定された回数利用された場合、使用不能と設定されることを特徴とする。
【００２３】
請求項５記載の発明は、請求項１から４のいずれか１の個人情報提供システムにおいて、チケットは、予め設定された期間経過後には使用不能と設定されることを特徴とする。
【００２４】
請求項６記載の発明は、請求項１から５のいずれか１の個人情報提供システムにおいて、個人情報配信サーバは、さらに、作成したチケットに応じて、被情報提供者への課金処理を行うことを特徴とする。
【００２５】
請求項７記載の個人情報提供プログラムの発明は、情報提供者端末と被情報提供者端末とネットワークを介して接続する個人情報配信サーバを、情報提供者端末から登録された個人情報データの被情報提供者端末での利用可能レベルを設定する手段、個人情報データと、データを特定可能なＩＤと、利用可能レベルとチケットとの対応関係が記したテーブルとを含むカプセルデータを作成する手段、カプセルデータを被情報提供者端末へ送信する手段、被情報提供者端末から入力されたチケット送信要求に基づきカプセルデータを利用するための任意の利用可能レベル用のチケットを作成する手段、して機能させることを特徴とする。
【００２６】
請求項８記載の発明は、請求項７の個人情報提供プログラムにおいて、さらに、個人情報配信サーバに、作成したチケットに応じて被情報提供者に対して課金処理を行う手段として機能させることを特徴とする。
【００２７】
請求項９記載の個人情報提供プログラムの発明は、個人情報配信サーバと情報提供者端末とネットワークを介して接続する被情報提供者端末を、個人情報配信サーバから受信したカプセルデータに含まれるＩＤを含むチケット送信要求を作成する手段、要求を個人情報配信サーバへ送信する手段、カプセルデータに含まれる自端末に格納されたチケットごとに個人情報データを利用可能な範囲が規定されたテーブルと、個人情報配信サーバから入力されたチケットとを比較し、個人情報データを利用可能なレベルを判断する手段、判断結果に基づき、自端末で利用可能な範囲で個人情報データを被情報提供者に利用させる手段、として機能させることを特徴とする。
【００２８】
請求項１０記載の発明は、請求項９の個人情報提供プログラムにおいて、さらに、被情報提供者端末を、個人情報データのデータコピー防止手段として機能させることを特徴とする。
【００２９】
請求項１１記載の発明は、請求項９または１０の個人情報提供プログラムにおいて、さらに、被情報提供者端末を、個人情報データの画像形成防止手段として機能させることを特徴とする。
【００３０】
請求項１２記載の発明は、請求項９から１１のいずれか１の個人情報提供プログラムにおいて、さらに、被情報提供者端末を、個人情報データが予め設定された回数利用された場合、チケットを使用不能と設定する手段として機能させることを特徴とする。
【００３１】
請求項１３記載の発明は、請求項９から１２のいずれか１の個人情報提供プログラムにおいて、さらに、被情報提供者端末を、予め設定された期間経過後にチケットを使用不当と設定する手段として機能させることを特徴とする。
【００３２】
請求項１４記載の個人情報提供方法の発明は、情報提供者端末から登録された個人情報データの被情報提供者端末での利用可能レベルを設定するステップと、個人情報データと、データを特定するためのＩＤと、利用可能レベルとチケットとの対応関係を記したテーブルとを含むカプセルデータを作成するステップと、カプセルデータを被情報提供端末へ送信するステップと、被情報提供者端末からチケット作成要求を受信した場合に、要求で指定された個人情報データ用の任意の利用可能レベルのチケットを作成するステップと、チケットを被情報提供端末へ送信するステップと、を有することを特徴とする。
【００３３】
請求項１５記載の発明は、請求項１４の個人情報提供方法において、個人情報データは、被情報提供者端末でデータコピーができないように設定されていることを特徴とする。
【００３４】
請求項１６記載の発明は、請求項１４または１５の個人情報提供方法において、個人情報データは、被情報提供者端末の管理下に画像形成できないように設定されていることを特徴とする。
【００３５】
請求項１７記載の発明は、請求項１４から１６のいずれか１の個人情報提供方法において、チケットは、個人情報データが予め設定された回数利用された場合、使用不能と設定されることを特徴とする。
【００３６】
請求項１８記載の発明は、請求項１４から１７のいずれか１の個人情報提供方法において、チケットは、予め設定された期間経過後には使用不能と設定されることを特徴とする。
【００３７】
請求項１９記載の発明は、請求項１４から１８のいずれか１の個人情報提供方法において、作成したチケットに応じて被情報提供者への課金処理を行うステップをさらに有することを特徴とする。
【００３８】
【発明の実施の形態】
以下、本発明の実施の形態を添付図面を参照しながら詳細に説明する。まず、本発明に係る個人情報提供システムについて説明する。
【００３９】
［個人情報提供システム］
本発明に係る個人情報提供システムは、図１に示すように個人情報配信サーバ１と、被情報提供側端末２とがインターネットなどのネットワークを介して接続される。
【００４０】
［個人情報配信サーバ１］
個人情報配信サーバ１は、予め、情報提供者の個人情報データが利用可能レベルが設定され登録される。そして、この個人情報データからカプセルデータを作成し、これを被情報提供側端末２へ送信する。また、被情報提供側端末２で当該個人情報データを閲覧するための任意の利用可能レベル用のチケットを発行し、被情報提供側端末２へ送信する。
【００４１】
この個人情報データには、開示レベル（利用可能レベル）が設定される。すなわち、被情報提供側端末２に格納されたチケットに応じて利用者（被情報提供者）が利用可能な情報が設定される。別言すれば、当該個人情報データは、複数のブロック（以下、構成データという。）に分けられ、当該ブロック毎に閲覧可能なチケットが設定される。そして、被情報提供側端末２は、格納されたチケットと上記設定に従い、利用者（被情報提供者）が閲覧可能（利用可能）な構成データのみを提示する。従って、被情報提供者は、個人情報配信サーバ１から送付されたチケットで許可された情報のみ閲覧することが可能となる。
【００４２】
この開示レベルは、任意に設定することができる。例えば、情報提供者が任意に設定可能としてもよい。また、予め構成データ毎に開示レベルがたとえば自動的に決められるように設置可能としてもよい。
【００４３】
例えば、本発明に使用される個人情報データの構成例を図２に示す。この個人情報データは、氏名、住所、年齢、性別、電話番号、最終学歴、家族構成、勤務先、年収の構成データを有する。そして、各構成データは、図２に示すように、予め開示レベルが設定される。従って、情報提供者は、構成データ毎に開示レベルを設定する必要がなく、個人情報配信サーバ１に自動的に設定させることが可能となる。
なお、以下の説明では、開示レベルの数が大きい構成データほど利用が制限されているものとする。例えば、被情報提供側端末２は、『レベル２』用のチケットを格納している場合には、『レベル０』〜『レベル２』の項目（構成データ）を利用可能とし、『レベル４』用のチケットを格納している場合には、『レベル０』〜『レベル４』の項目を利用可能とする。
【００４４】
個人情報データは任意の方法により登録できる。
例えば、情報提供者に所定のフォーマットにより個人データを作成させ、これを情報提供者の端末３を用いて直接に、またはネットワークを介して間接に、個人情報配信サーバ１へ入力させる。そして、個人情報配信サーバ１は、このデータを上記フォーマットの情報に基づき上記個人情報データに変換し、これをサーバの管理下に保管（登録）すればよい。
【００４５】
また、上記フォーマットによる個人データ、または個人情報データを作成可能なプログラムを用いて作成するようにしてもよい。この場合、情報提供者は、端末３にこのプログラムを起動させ、所定の情報を入力・選択することで個人データ、または個人情報データを作成させ、個人情報配信サーバ１へ送信させることが可能となる。
【００４６】
また、個人情報配信サーバ１は、ネットワークを介して個人情報データを作成可能なサイトを情報提供者の端末３に提供し、情報提供者に所定の情報を入力・選択させることでデータを作成・登録するようにしてもよい。例えば、図３に示すようなサイトを端末３に提示し、情報提供者に上記データの作成に必要なデータを入力・選択させる。端末３は、このサイトの「データ登録」ボタンが選択されると、入力された情報を個人情報配信サーバ１へ送信する。個人情報配信サーバ１は、この情報に基づき、個人情報データを作成する。
【００４７】
上記カプセルデータには、少なくとも、上記開示レベルが設定された個人情報データと、このカプセルデータおよび／またはこのデータに含まれる個人情報データを特定可能なＩＤと、当該開示レベルとチケットとの対応関係が記されたテーブルとが含まれる。このテーブルは、換言すれば、被情報提供側端末２にダウンロードされているチケットに応じて被情報提供者が閲覧等の利用が可能な構成データを規定する。上記ＩＤは、個人情報配信サーバ１に、このカプセルデータに含まれる個人情報データを特定させる。
【００４８】
個人情報配信サーバ１は、被情報提供側端末２へ任意のタイミングでカプセルデータを送信する。例えば、以下の▲１▼〜▲３▼のいずれかのタイミングで送信することもできる。
▲１▼新しい個人情報データが登録された場合に、これを被情報提供側端末２へ送信する。
▲２▼登録された個人情報データの内、任意のデータのみを送信するようにする。例えば、個人情報配信サーバ１は、被情報提供者へ所定の期間内に送信可能なデータ数を決めておき、当該期間中に上記数のデータを送信していない場合に、登録された個人情報データの中からランダムに選択し、当該データを送信する。
【００４９】
▲３▼被情報提供側端末２からカプセルデータ送信要求を受領した場合、この要求で指定された個人情報データを含むカプセルデータを被情報提供側端末２へ送信する。
例えば、個人情報配信サーバ１は、図４に示すようなサイトで個人情報配信サーバ１に格納された個人情報データに関するインデックスデータを被情報提供側端末２を介して被情報提供者に提示する。被情報提供者は、この中から被情報提供側端末２にダウンロードさせるカプセルデータを選択する。そして、被情報提供側端末２は、図４の『要求』ボタンがクリックされると、被情報提供者から選択された情報（インデックスデータ）のダウンロードを要求するカプセルデータ送信要求を送出する。なお、被情報提供側端末２は、上記インデックスデータの送信に先立ち、ダウンロードするインデックスデータを、キーワードを送信し、当該キーワードに関係するデータを個人情報配信サーバ１に送信させるようにしてもよい。
【００５０】
上記チケットは、個人情報配信サーバ１に作成され、被情報提供側端末２に個人情報データの内の所定の開示レベルのデータ（構成データ）を被情報提供者に開示・利用させる。すなわち、チケットは、個人情報配信サーバ１が被情報提供者へ付与する個人情報データの閲覧権限などの利用権限を意味する。従って、被情報提供者には、上記カプセルデータには個人情報データが格納されていても、被情報提供側端末２にダウンロードされているチケットで利用可能な構成データしか提供されない。
【００５１】
例えば、被情報提供側端末２は、『レベル１』のチケットしか有していない場合、図２に示す個人情報データの内、『性別』、『最終学歴』、『家族構成』、『勤務先』、『年収』、『自己ＰＲ』の項目（構成データ）しか利用（閲覧）できない。この場合、例えば、『レベル２』以上のチケットが必要な項目については、図５（ａ）に示すようにブランクのまま表示したり、（ｂ）に示すように利用できない項目自体を表示しなくてもよい。
【００５２】
個人情報配信サーバ１は、個人情報配信サーバ１が被情報提供側端末２から上記ＩＤと、利用を希望する開示レベルが指定されたチケット送信要求を受信した場合に、このＩＤで特定される個人情報データを上記開示レベルで利用可能なチケットを被情報提供側端末２へ送信する。
【００５３】
個人情報配信サーバ１は、チケット発行に際して被情報提供者に所定の条件を課してもよい。この条件は任意に設定できるが、例えば、次の▲１▼〜▲３▼のいずれかを選択したり組み合わせたりして設定することもできる。
【００５４】
▲１▼いわゆるユーザ認証を行うようにしてもよい。すなわち、個人情報配信サーバ１は、予めチケットを発行可能な利用者情報が登録され、当該情報とユーザ認証の結果に基づき、チケットを発行するか否か検討してもよい。また、チケットを発行する場合には、発行可能なレベルを検討するようにしてもよい。
例えば、個人情報配信サーバ１は、被情報提供者に対して所定の期間内に発行可能なチケット数を制限されるものとする。この場合、上記チケット送信要求で要求されたチケットを発行可能であるか検討し、この枚数以下のチケットしか発行していない場合に限りチケットを発行する。また、この制限数は、チケットのレベル毎に設定できるようにしてもよい。
【００５５】
▲２▼個人情報配信サーバ１は、上記チケット送信要求に被情報提供側端末２の装置ＩＤを含ませるという条件を課してもよい。この場合、この装置ＩＤを有する被情報提供側端末２でしか有効でないチケットを発行すると好ましい。例えば、このチケットに上記装置ＩＤを含め、被情報提供側端末２がカプセルデータから個人情報データを取り出す場合に自装置の装置ＩＤが上記装置ＩＤと一致するか判定させ、一致する場合にのみ個人情報データを利用させるようにする。また、上記装置ＩＤに基づき、予め個人情報配信サーバ１へのアクセスが許可された被情報提供側端末２からの要求であるか検討してもよい。
【００５６】
▲３▼個人情報配信サーバ１は、上記チケット送信要求に被情報提供者のユーザＩＤを含ませるという条件を課してもよい。この場合、好ましくは、当該ユーザＩＤが確認された場合にのみ有効とされるチケットを発行する。例えば、このチケットに上記ユーザＩＤを含め、被情報提供側端末２に、カプセルデータから個人情報データを取り出す場合に被情報提供者にユーザＩＤの提示を求め、提示されたＩＤと上記ＩＤとが一致した場合にのみ個人情報データを利用させるようにする。
【００５７】
なお、情報の第三者への漏洩や悪意の利用などを防止するために、個人情報データのコピー（複写）を行うことや、プリントアウトなどをできないようにすることが好ましい。このように、利用方法を制限する方法としては、公知の方法を採用できる。別言すれば、被情報提供側端末２にダウンロードされた個人情報データ、および／またはカプセルデータには、被情報提供側端末２にプリントアウトやデータコピーなどの動作を行わせない被情報提供側端末２が解釈可能な命令またはプログラムを含めてもよい。被情報提供側端末２は、この命令またはプログラムに従い、このような動作を禁止する。
【００５８】
また、上記開示レベルに応じて利用方法を制限してもよい。例えば、図６に示すように、個人情報データの構成データ「電話番号」を『開示』可能なレベルは「２」とし、データの『コピー』が可能なレベルは「３」とし、『プリントアウト』可能なレベルは「４」とする。この場合、「レベル２」用のチケットしか有しない被情報提供者は、この情報を用紙に印刷したり、データコピーを行うことはできない。また、「レベル３」用のチケットを有する被情報提供者は、この情報のデータコピーも行うことが可能となる。さらに、「レベル４」までの利用制限が解除された被情報提供者は、この情報をプリントアウトすることも可能となる。
【００５９】
また、情報の悪意の利用を制限するために、個人情報データの利用回数および／または利用期間を限定することが好ましい。すなわち、被情報提供者は、所定の回数を超えて、および／または所定の時間経過後に情報を利用しようとする場合には、個人情報配信サーバ１にチケットを付与されていても利用できないように設定する。
【００６０】
このような利用回数／期間を制限する方法としては、例えば、上記カプセルデータの中に当該情報を含め、被情報提供側端末２に、個人情報データを取り出す場合に当該情報を参照させ、利用可能か否か判断させ、利用不能な場合にはこの個人情報データを利用させないようにすればよい。
また、被情報提供側端末２に、チケットに含まれる利用可能回数または利用可能期間に関する情報に基づき利用不能なチケットであるか判定させてもよい。そして、利用不能なチケットである場合には、これを消去させる。
また、チケットに、被情報提供側端末２が読み取り可能な利用回数および／または利用可能期間の判定機能と、当該チケットが利用不能と判定された場合にチケットを消去させる機能とを実現するためのプログラムを含めることができる。この場合、被情報提供側端末２は、このプログラムに従い、利用不能となったチケットを消去する。
【００６１】
さらに、個人情報配信サーバ１は、前記したような利用価値の高い個人情報データが登録されているため、第三者からの不正アクセスなどを防止するよう構成することが好ましい。この不正アクセス防止技術としては、公知の技術を採用することができ、例えば、このような防止技術として、ＦｉｒｅＷａｌｌ技術、ＳＳＬ（Secure Sockets Layer）技術を採用できる。
【００６２】
［被情報提供側端末２］
被情報提供側端末２は、個人情報配信サーバ１から上記カプセルデータおよびチケットを取得し、当該チケットに基づきカプセルデータに含まれる個人情報データを被情報提供者へ提示する。
【００６３】
被情報提供側端末２は、上記カプセルデータが個人情報配信サーバ１から送信されると、開示制限のない情報のみを利用者に提示する。図２に示す例では、開示レベル「０」のデータのみを被情報提供者に利用させることができる。また、個人情報配信サーバ１から送信されたチケットに基づき、上記個人情報の内、開示可能（利用可能）な情報のみを利用者に提供する。すなわち、個人情報データの内、ダウンロードしたチケットに応じた部分（項目、構成データ）をカプセルデータに含まれる上記テーブルに基づき判定し、これを利用者に提示する。また、上述したように、被情報提供側端末２でのデータコピーやプリントアウトできないようにし、また、チケットの利用可能期間や回数などを制限してもよい。
【００６４】
また、被情報提供側端末２は、上記カプセルデータ送信要求／チケット送信要求を個人情報配信サーバ１に送信する。
【００６５】
この個人情報の開示制限方法・利用制限方法としては、前記したような方法を採用することができ、例えば、本件出願人が出願した特開２０００−４８０７６号公報に開示した技術を用いても実現可能である。
【００６６】
例えば、個人情報配信サーバ１は、個人情報データの構成データをそれぞれ異なる暗号鍵で暗号化する。そして、各構成データを複数の構成要素集合に分けて管理する。すなわち、各構成要素を上記開示レベル毎に分けて管理する。また、各構成要素集合毎の利用許可コードおよび各構成データ毎の復号鍵を管理する。
【００６７】
個人情報配信サーバ１は、被情報提供側端末２から開示レベルを指定した（構成要素集合を指定した）利用許可証要求が送られてきたとき、このレベルの利用許可コードを含む利用許可証を被情報提供側端末２へ送信する。
【００６８】
被情報提供側端末２は、個人情報配信サーバ１から利用許可証が送られてくると、この許可証に含まれる利用許可コードを含む復号鍵系列要求を個人情報配信サーバ１へ送信する。
【００６９】
個人情報配信サーバ１は、被情報提供側端末２から復号鍵系列要求が送られてくると、当該要求中の利用許可コードと自サーバで管理している利用許可コードとに基づいた認証を行い、当該コードに対応する構成要素集合に含まれている各構成データの復号鍵を被情報提供側端末２へ送信する。従って、被情報提供側端末２は、これらの構成データを復号し、被情報提供者の利用に供することが可能となる。すなわち、被情報提供者が要求した開示レベルの個人情報の利用が可能となる。
【００７０】
また、上述した構成に代えて、次のような構成を採用してもよい。
この構成では、被情報提供側端末２は、個人情報配信サーバ１から利用許可証が送られてきたとき、当該許可証中の利用許可コードと自装置で管理している被情報提供者のユーザ情報とに基づいて、修正利用許可コードを作成する。そして、当該コート度を含む鍵系列要求とこのユーザ情報を個人情報配信サーバ１へ送信する。
【００７１】
個人情報配信サーバ１は、被情報提供側端末２から復号鍵系列要求が送られてくると、当該要求中の修正利用許可コードと、被情報提供側端末２から送られてきたユーザ情報と、自サーバで管理している利用許可コードとに基づいた認証を行う。そして、利用許可コードに対応する構成データ群の各構成データの復号鍵を被情報提供側端末２へ送信する。
【００７２】
システムをこのように構成することで、被情報提供者による個人情報データの漏洩や不正譲渡などを有効に防止できる。なぜならば、復号鍵系列要求において、利用許可コードに代えて、被情報提供者にとって第三者に知らせると不利益になりうるユーザ情報を用いて生成された修正利用許可コードを含めるているからである。すなわち、被情報提供側端末２側および個人情報配信サーバ１側の双方でユーザ固有情報に密接に関連する情報が、安全に共有されることとなり、不当な修正利用許可コードを第三者に漏洩すると、当該被情報提供者が漏洩元であることを個人情報データ配信サーバ１側で検出することが容易に可能となる。
【００７３】
さらに、前記した構成に代え、次のような構成も採用できる。
個人情報配信サーバ１は、各構成データを構成要素集合にわけて管理すると共に、各構成要素集合毎の利用許可コードとこの集合毎の利用回数の上限値と、各構成データ毎の復号鍵を管理する。そして、被情報提供側端末２から構成要素集合を指定した利用許可要求が送られてきたとき、指定された集合の利用回数上限値と種とを含む利用許可証を被情報提供側端末２へ送信する。また、この上限値と種とに基づいてそれぞれが上限値までの異なる利用回数に対応した利用回数上限値と同じ個数の一時鍵を含む一時鍵系列を作成して保存する。
【００７４】
被情報提供側端末２は、構成要素集合を利用する際、この集合に対する利用許可証を受け取っていない場合には、個人情報配信サーバ１に対してこの集合を指定した利用許可証要求を送る。そして、この要求に応答して送られてきた利用許可証中の利用回数上限値と種とに基づいて、それぞれが利用回数上限値までの異なる利用回数に対応した利用回数上限値と同じ個数の一時鍵を含む一時鍵系列を作成して保存する。また、この系列中の今回の利用回数に対応した一時鍵を含む再生対象構成要素集合に対する復号鍵系列要求を個人情報配信サーバ２へ送信する。
【００７５】
また、被情報提供側端末２は、利用許可証の受け取り時に保存した一時鍵系列中の今回の利用回数に対応した一時鍵を含む再生対象構成要素集合に対する復号鍵系列要求を個人情報配信サーバ１に送信する。
【００７６】
個人情報配信サーバ１は、被情報提供側端末２から上記要求が送られてきた場合、当該要求中の一時鍵と自サーバで保存している一時鍵系列中に今回の使用回数に対応した一時鍵とに基づいた認証を行う。そして、この集合に含まれている各構成データの復号鍵を被情報提供側端末２へ送信する。被情報提供側端末２では、この復号鍵を用いて、上記要求で指定した開示レベルの個人情報データが利用可能となる。
【００７７】
これにより、不正を働こうとする者がいる場合であっても、個人情報の利用回数を確実に制限することが可能となる。これは、復号鍵系列要求に有限の長さを持つ一時鍵系列から抽出された修正利用許可コードを含めることで、当該一時鍵系列の長さを超えて正当な修正利用許可コードを作成することが不可能なためである。
【００７８】
また、本願出願人の別の出願である特願平１２−００５７２２号公報に開示した技術を用いることもできる。
個人情報配信サーバ１は、利用条件設定手段と、個人情報暗号化手段と、チケット鍵生成手段と、復号鍵暗号化手段と、カプセル化手段と、利用条件蓄積手段と、チケット復号鍵暗号化手段と、チケット配信手段とを有する。
【００７９】
利用条件設定手段は、個人情報データに利用条件を設定する。
個人情報暗号化手段は、この個人情報データを所定の暗号鍵により暗号化する。
チケット鍵生成手段は、利用条件設定手段で設定された利用条件毎に、異なる複数のチケット暗号鍵及び対応する複数のチケット復号鍵を生成する。
復号鍵暗号化手段は、チケット鍵生成手段が利用条件毎に生成した複数のチケット暗号鍵で、前記所定の暗号鍵に対応する所定の復号鍵をそれぞれ暗号化する。
カプセル化手段は、上記個人情報データと、復号鍵暗号化手段で暗号化された利用条件毎の前記所定の復号鍵と、前記利用条件とをカプセル化したカプセルデータを生成する。
利用条件蓄積手段は、利用条件設定手段により設定された利用条件と、利用条件毎の暗号化に用いたチケット暗号鍵に対応するチケット復号鍵とを、それぞれ対応付けて蓄積する。
チケット復号鍵暗号化手段は、外部からの個人情報データの利用要求に応じて、該利用要求での利用条件に対応付けられて上記利用条件蓄積手段に蓄積されているチケット復号鍵を、当該利用要求の発信元の暗号鍵で暗号化する。
チケット配信手段は、チケット復号鍵暗号化手段で暗号化されたチケット復号鍵を、上記利用要求の発信元に配信する。
【００８０】
また、個人情報配信サーバ１は、さらに、カプセルデータ蓄積手段と、カプセルデータ配信手段とを有していてもよい。
カプセルデータ蓄積手段は、カプセル化手段が生成したカプセルデータを蓄積する。
カプセルデータ配信手段は、カプセルデータ蓄積手段に蓄積されたカプセルデータを配信する。
【００８１】
また、上記所定の暗号鍵と、これに対応する復号鍵とは、共通暗号系を用いており、それぞれ同一の鍵としてもよい。
なお、個人情報配信サーバ１は、さらに、乱数を発生する乱数発生手段を備え、上記カプセルデータの暗号及び復号に使用する共通暗号系の鍵は、上記乱数発生手段が発生した乱数としてもよい。
【００８２】
また、上記複数のチケット暗号鍵と、これらのそれぞれに対応するチケット復号鍵とは、共通暗号系を用い、それぞれ対応するもの同士が同一のチケット鍵で構成され、上記チケット鍵生成手段は、利用条件毎に暗号と復号とに共通のチケット鍵を生成するようにしてもよい。
【００８３】
また、被情報提供側端末２は、カプセルデータ取得手段と、チケット復号鍵取得手段と、復号鍵復号手段と、個人情報復号手段と、提示手段とを有していてもよい。
【００８４】
カプセルデータ取得手段は、上記カプセル化手段がカプセル化したカプセルデータを取得する。
チケット復号鍵取得手段は、カプセルデータ取得手段が取得したカプセルデータに含まれる所望の利用条件のチケット暗号鍵に対応するチケット復号鍵を取得する。
復号鍵復号手段は、上記チケット復号鍵取得手段が取得したチケット復号鍵で、当該カプセルデータに含まれる前記チケット暗号鍵で暗号化されている所定の復号鍵を復号する。
個人情報復号手段は、上記復号鍵復号手段が復号した所定の復号鍵で、前記カプセルデータに含まれる個人情報データを復号する。
提示手段は、個人情報復号手段で復号した個人情報データを被情報提供者に提示する（利用させる）。
【００８５】
なお、被情報提供側端末２は、上記個人情報データを任意の手段により被情報提供者に提供（利用）させればよい。例えば、個人情報データが文字データや画像データである場合には、このデータを表示部に表示することができる。
【００８６】
また、上記個人情報システムの個人情報配信サーバ１、および被情報提供側端末２は、前記したような機能を有していればよい。従って、パーソナルコンピュータ等に上記機能を実現させるためのプログラムに基づき、個人情報配信サーバ１、または被情報提供側端末２として動作させればよい。
【００８７】
より詳しくは、この個人情報提供プログラムは、個人情報配信サーバ１を、▲１▼情報提供者端末３から登録された個人情報データの被情報提供者端末２での利用可能レベルを設定する手段、▲２▼当該個人情報データと、当該データを特定可能なＩＤと、上記利用可能レベルとチケットとの対応関係が記されたテーブルとを含むカプセルデータを作成する手段、▲３▼当該カプセルデータを被情報提供者端末２へ送信する手段、▲４▼被情報提供者端末２から入力されたチケット送信要求に基づき上記カプセルデータを利用するためのチケットを作成する手段、として機能させる。
【００８８】
また、他の個人情報提供プログラムは、被情報提供者端末２を、▲１▼個人情報配信サーバ１から受信したカプセルデータに含まれるＩＤを含むチケット送信要求を作成する手段、▲２▼当該要求を個人情報配信サーバ１へ送信する手段、▲３▼カプセルデータに含まれる自端末に格納されたチケットごとに個人情報データの利用可能な範囲が規定されたテーブルと、個人情報配信サーバ１から入力されたチケットとを比較し、個人情報データを利用可能なレベルを判断する手段、▲４▼この判断結果に基づき、自端末で利用可能な範囲で上記個人情報データを被情報提供者に利用させる手段、として機能させる。
【００８９】
また、上記個人情報提供プログラムは、さらに、被情報提供者端末２を、個人情報データのデータコピー防止手段として機能させるようにしてもよい。
【００９０】
また、上記個人情報提供プログラムは、さらに、被情報提供者端末２を、個人情報データの画像形成防止手段として機能させるようにしてもよい。
【００９１】
また、上記個人情報提供プログラムは、さらに、被情報提供者端末２を、個人情報データが予め設定された回数利用された場合、チケットを使用不能と設定する手段として機能させるようにしてもよい。
【００９２】
また、上記個人情報提供プログラムは、さらに、被情報提供者端末２を、予め設定された期間経過後にチケットを使用不当と設定する手段として機能させるようにしてもよい。
【００９３】
なお、この個人情報提供システムは、さらに、利用者（被情報提供者）への課金処理を行うようにしてもよい。このように課金処理を行う場合には、個人情報配信サーバ１は、チケットを発行する際に課金情報を作成することが好ましい。これにより、個人情報を利用する場合に、その利用する情報や利用方法、チケットの種類などに応じた料金を徴収することが可能となる。
【００９４】
さらに、個人情報配信サーバ１は、この課金情報に基づき、料金を被情報提供者から徴収してもよい。この料金の徴収方法としては公知の方法を採用でき、例えば、電子マネー技術を採用することもできる。
次に、本発明に係る個人情報提供方法を説明し、あわせて上述した個人情報提供システムの動作について説明する。
【００９５】
［個人情報提供方法］
本発明に係る個人情報提供方法は、図７のフローチャートに示すように、カプセルデータ作成ステップ（ステップＳ１）と、カプセルデータ配信ステップ（ステップＳ２）と、チケット作成ステップ（ステップＳ３）と、チケット配信ステップ（ステップＳ４）と、を有する。
【００９６】
カプセルデータ作成ステップ（ステップＳ１）は、個人情報配信サーバ１に個人情報データ、上記ＩＤ、および上記テーブルから、前記したようにカプセルデータを作成させるステップである。
【００９７】
カプセルデータ配信ステップ（ステップＳ２）は、個人情報配信サーバ１にカプセルデータ作成ステップで作成されたカプセルデータを被情報提供側端末２へ送信させるステップである。
【００９８】
チケット作成ステップ（ステップＳ３）は、個人情報配信サーバ１に、被情報提供者からのチケット作成要求を受信した場合に、当該要求で指定された個人情報データ用の任意の開示レベルのチケットを作成させるステップである。なお、どのレベルのチケットを作成するかは、前記したように決定することができ、例えば、被情報提供者から指示されたレベルのチケットを作成してもよい。また、予め当該被情報提供者の利用権限を決めておき、当該利用権限に基づきこの被情報提供者が利用可能な情報のみを提示可能なチケットを作成してもよい。
【００９９】
チケット配信ステップ（ステップＳ４）は、個人情報配信サーバ１に、チケット作成ステップで作成されたチケットを被情報提供側端末２へ送信させるステップである。
【０１００】
なお、チケット配信ステップでチケットが被情報提供側端末２に送信された後、個人情報配信サーバ１にこのチケットに基づくチケット発行料金データ（課金データ）を作成させるステップを有していてもよい。また、このデータに基づき、被情報提供者から料金を徴収するようにしてもよい。
以下、結婚情報配信サービスを例に取り、個人情報配信方法、および個人情報配信システムの動作を、図８のフローチャートを参照しながらより詳細に説明する。
【０１０１】
結婚情報配信サーバは、ある女性の結婚情報データ（個人情報や紹介文等）が登録される（ステップＳ１０）と、これをカプセル化する（ステップＳ１１）。なお、この結婚情報データには、図２に示すような項目（構成データ）があるものとし、各項目毎に予め開示レベルが決定されているものとする。
【０１０２】
また、開示レベルの数字が「０」の場合、特別なチケットなしで利用できるものとする。開示レベルが「１」以上の場合、利用権限がなければ利用できないものとする。すなわち、所定のチケット（『レベル１』用のチケット）なしには利用できないものとする。さらに、「レベル２」用のチケットを有する被情報提供者は、開示レベルの数字がこれ以下のレベルの情報も利用できるものとする。つまり、この者は、「レベル１」の項目と「レベル２」の項目を利用できるものとする。
【０１０３】
また、結婚情報配信サーバは、望ましくは、被情報提供側端末２での『データコピー』、および『プリントアウト』を禁止する。すなわち、これらの処理ができないように、カプセル化された結婚情報データを加工する。従って、被情報提供側端末２は、被情報提供者に対して上記結婚情報データを『閲覧』のみ可能とする。なお、この加工方法は、上述したような方法を採用できる。
【０１０４】
さらに、結婚情報配信サーバは、被情報提供側端末２でのチケットの使用可能回数、チケットの使用可能期限、結婚情報データの使用可能回数、および／または結婚情報データの使用可能期間を制限することが好ましい。
【０１０５】
結婚情報配信サーバは、上記カプセル化した結婚情報データを、任意の男性（被情報提供者）の被情報提供側端末２へ送信する（ステップＳ１２）。
【０１０６】
被情報提供側端末２は、結婚情報データを受信すると、利用権限があるデータを被情報提供者（男性）に使用させる（ステップＳ１３）。すなわち、この被情報提供者には、開示レベルが「０」と設定された情報（項目、構成データ）のみが提示される。従って、図２で「レベル０」と設定された『年齢』、『性別』、『最終学歴』、『ＰＲデータ』が開示されることになる。
【０１０７】
被情報提供者は、さらに詳しいデータ、すなわち、開示レベルが「１」以上に設定されているデータを欲する場合（ステップＳ１４／ＹＥＳ）には、被情報提供側端末２を用いてチケット発給要求を送信する（ステップＳ１５）。
【０１０８】
結婚情報配信サーバは、上記要求を受信すると（ステップＳ１６）、開示レベル「１」用のチケットを被情報提供側端末２へ送信する（ステップＳ１７）。
なお、配信するチケットのレベルは、任意に設定できる。例えば、被情報提供側端末２から要求されたレベル用のチケットを送信してもよい。また、当該被情報提供者に権限を付与可能なレベルを判定し、このレベル用のチケットを送信してもよい。この判定は、前記したように行える。例えば、当該被情報提供者が一月内でのチケット発行可能枚数を超えていないか否かといった所定の条件を満たしているか判定することもできる。
【０１０９】
被情報提供側端末２は、受信したチケットを用いることで、上記結婚情報データ中の当該チケットで利用可能な項目のデータを被情報提供者に提示する（ステップＳ１８）。このように、順次レベルの高いチケットを結婚情報配信サーバから取得することで、開示レベルの高い項目データを利用者に提供可能となる。
その後、ステップＳ１４に戻る。
【０１１０】
なお、このシステムでは、図９のシーケンス図に示すように、当該被情報提供者（男性）が情報提供者（女性）との交際を希望する場合にその旨を情報提供者の端末に通知するようにしてもよい。
【０１１１】
すなわち、被情報提供側端末２は、この結婚情報データを特定可能な情報を含む交際希望通知を結婚情報サーバ１へ送信する（ステップＳ２０）。
結婚情報サーバ１は、この通知を受領すると、情報提供者（女性）の端末に、上記被情報提供者（男性）と交際を希望するか問い合わせデータを提示する（ステップＳ２１）。このデータには、被情報提供者の結婚情報データを含めることが望ましい。また、この結婚情報データの提示方法としては、前記したようなチケットを用いた方法を採用してもよい。
情報提供者（女性）の端末は、回答通知を結婚情報サーバ１に送信する（ステップＳ２２）。
結婚情報サーバ１は、この通知を受けると、情報提供者（女性）の端末に被情報提供者（男性）の連絡先を通知する（ステップＳ２３）。または、上記結婚情報データに含まれる連絡先の項目を利用可能なチケットをこの端末に発行する。
【０１１２】
このような処理は、特に、上記結婚情報データに情報提供者（女性）の連絡先を含めない場合、または情報提供者が連絡先の開示を認めた後にしか閲覧用のチケットを発行しないと設定する場合などに有効である。その理由は、情報提供者（女性）が被情報提供者（男性）の個人情報（結婚情報データ）を知らずに、または情報提供者の同意なしに当該情報提供者の連絡先などが被情報提供者に知られてしまうことを防止できるからである。
【０１１３】
このように、情報内容の利用制限を行い、特定のチケット（鍵）により指定された情報内容のみを利用者に閲覧させることで、真に交際を希望する者にしか情報提供者の連絡先などの重要な個人情報は開示されない。従って、被情報提供者による個人情報の漏洩や悪用などの問題は極めて生じにくいものとなる。また、データコピーなどもできないようにするため、個人情報は、被情報提供者以外に漏洩することが極めて少なくなる。さらに、利用回数なども制限可能なため、さらに安全性が高まり、個人情報を悪用した犯罪を有効に防止することが可能となる。
【０１１４】
なお、結婚情報システム１は、上記カプセルデータを作成したこと（または結婚情報データが登録されたこと）を被情報提供者に電子メールやＷｅｂ上のサイトなどカプセルデータ以外の媒体を用いて通知してもよい。これにより、単なる結婚情報データが登録されたことを通知するために当該データを含むカプセルデータを送信するの場合に比べ、処理に要する時間＼被情報提供側端末２のカプセルデータ記憶用の容量＼コストなどを大幅に削減することができる。
【０１１５】
例えば、以下の▲１▼〜▲３▼のいずれか１または複数の組み合わせにより通知してもよい。
▲１▼結婚情報配信サーバは、会員である被情報提供者に対して情報紹介者の情報（カプセルおよびチケット）がどこに格納されているかをインターネット経由で通知する。
▲２▼結婚情報配信サーバは、被情報提供側端末２によるインターネットを経由したアクセスを、上記会員の中で許可された者（権限を有する者）に限り認める。従って、被情報提供側端末２は、結婚情報配信サーバのＷＷＷサーバにアクセスし、チケットサーバからカプセル化された結婚情報およびカプセルを開けるためのチケット（鍵）を入手可能となる。
▲３▼被情報提供側端末２は、ダウンロードしてきたカプセルを上記チケットを用いて開き、情報提供者の個人情報（結婚情報）を入手する。そして、この情報を被情報提供者に提示する。
【０１１６】
【発明の効果】
以上の説明から明らかなように、本発明によれば、利用可能レベルを設定した一つの個人情報データのみを被情報提供者へ送信し、任意の利用可能レベル用のチケットを発行するだけで、被情報提供者端末で利用可能な情報を制限することが可能となる。
【０１１７】
また、被情報提供者端末での個人情報データのデータコピーやプリントアウトを禁止することが可能となる。そのため、当該データが漏洩したり悪用される可能性が極めて少なくなる。
【０１１８】
また、チケットの有効期間などを設けることが可能となる。そのため、悪意の被情報提供者が何度も当該個人情報データにアクセスすることを防止することができる。
【０１１９】
また、個人情報データに対してではなく、閲覧可能な情報、すなわちチケット毎に課金することが可能となる。
【０１２０】
従って、人材紹介サービスや結婚情報サービスなど、情報提供者・被情報提供者間で、取り扱いに注意を必要とする性質が極めて強い個人情報の仲介を行うことが可能となる。これにより、これらのサービスシステムの工程数＼コスト＼処理効率＼処理時間などは、極めて少ないものにできる。例えば、従来、紹介状・履歴書・写真などを配布後、個人情報保護の必要性から回収しなければならなかったが、このシステムでは、この作業を省略することが可能となる。言い換えれば、個人情報をＷｅｂなどのネットワーク上で配信することが可能となる。
【０１２１】
さらに、上述したようなシステムにおいて、閲覧所は不要になるため、従来、この閲覧所を利用できない可能性があった被情報提供者であっても、このシステムを利用することが可能となる。また、他の被情報提供者も、個人情報の閲覧に要する時間＼手間が極めて少なくなる。
【図面の簡単な説明】
【図１】本発明による個人情報提供システムの構成例を説明するための図である。
【図２】本発明に用いる個人情報データの構成例を示す。
【図３】個人情報データの作成サイトの例である。
【図４】個人情報データ（カプセルデータ）のダウンロードサイトの例である。
【図５】個人情報データの表示例である。
【図６】本発明に用いる第２の個人情報データの構成例を示す。
【図７】本発明に係る個人情報提供方法を説明するためのフローチャートである。
【図８】本発明に係る個人情報提供方法を結婚情報サービスに適用した場合の流れを示す。
【図９】被情報提供者と情報提供者とのコンタクト例を説明するためのシーケンス図である。
【符号の説明】
１  個人情報配信サーバ
２  被情報提供者側端末
３  情報提供者側端末
【図１】
0003636087.tif 000002
【図２】
0003636087.tif 000003
【図３】
0003636087.tif 000004
【図４】
0003636087.tif 000005
【図５】
0003636087.tif 000006
【図６】
0003636087.tif 000007
【図７】
0003636087.tif 000008
【図８】
0003636087.tif 000009
【図９】
0003636087.tif 000010